(57)【要約】【課題】本発明は、表示方法、表示装置及び表示システムを提供する。【解決手段】本表示装置は、タイミング制御装置、スケーラー、バッファー及びコンパレータを備える。コンパレータは、スケーラーからの現在のフレーム画像の画素データと、前記バッファーに記憶された画素データとが同一であるかを比較し、比較結果が同一である場合、スケーラーは動作しない状態になる。タイミング制御装置は、表示しようとするフレーム画像の画素データを得て前記画素データを出力して表示を行う。【選択図】図１
2014032406.tif 000002
【特許請求の範囲】
【請求項１】
連続する複数のフレーム画像からなるビデオ信号を表示するための表示装置であって、
前記ビデオ信号のフレーム画像に対してスケーラー処理して表示するための画素データを生成するスケーラーと、
前記スケーラーがフレーム画像に対してスケーラー処理した後の画素データを記憶するバッファーと、
前記スケーラーからの現在のフレーム画像の画素データと、前記バッファーに記憶された画素データとが同一であるかを比較し、比較結果を出力するコンパレータと、
表示される現在のフレーム画像の画素データを得て、前記画素データを出力して表示に用いられるタイミング制御装置と、を備え、
前記コンパレータが出力した比較結果が同一である場合、前記スケーラーは動作しない状態になり、且つ該動作しない状態が所定の時間又は所定のフレーム画面数まで持続し、
前記コンパレータが出力した比較結果が異なる場合、前記スケーラーは動作状態になり、スケーラー処理された現在のフレーム画像の画素データによって、前記バッファーに記憶された画素データを更新することを特徴とする表示装置。
【請求項２】
前記コンパレータが出力する比較結果によって、前記スケーラーが動作状態になるか又は動作しない状態になるかを制御するためのスイッチをさらに備えることを特徴とする請求項１に記載の表示装置。
【請求項３】
前記コンパレータが出力する比較結果をレベル信号に変換し、前記レベル信号によって、前記スケーラーが動作状態になるか又は動作しない状態になるかを制御するための信号変換器をさらに備えることを特徴とする請求項２に記載の表示装置。
【請求項４】
前記スイッチは、前記コンパレータが出力するレベル信号である比較結果によって、前記スケーラーが動作状態になるか又は動作しない状態になるかを制御することを特徴とする請求項２に記載の表示装置。
【請求項５】
前記スイッチがＮ型薄膜トランジスタ（ＴＦＴ）であり、
前記Ｎ型ＴＦＴのゲート電極は、レベル信号を受信し、
前記Ｎ型ＴＦＴのドレイン電極は、電源に接続され、前記スケーラーの動作電圧と同一である第１の電圧を受信し、
前記ＴＦＴのソース電極は、前記スケーラーに接続され、
前記レベル信号がハイレベルである場合、前記Ｎ型ＴＦＴはオン状態にあり、前記第１の電圧を前記スケーラーに出力して、前記スケーラーを動作状態にさせ、
前記レベル信号がローレベルである場合、前記Ｎ型ＴＦＴはカットオフ状態にあり、前記スケーラーに出力する電圧がなく、前記スケーラーを動作しない状態にさせ、
又は、
前記スイッチがＰ型薄膜トランジスタ（ＴＦＴ）であり、
前記Ｐ型ＴＦＴのゲート電極は、レベル信号を受信し、
前記Ｐ型ＴＦＴのドレイン電極は、電源に接続され、前記スケーラーの動作電圧と同一である第１の電圧を受信し、
前記Ｐ型ＴＦＴのソース電極は、前記スケーラーに接続され、
前記レベル信号がローレベルである場合、前記ＴＦＴはオン状態にあり、前記第１の電圧を前記スケーラーに出力して、前記スケーラーを動作状態にさせ、
前記レベル信号がハイレベルである場合、前記Ｐ型ＴＦＴはカットオフ状態にあり、前記スケーラーに出力する電圧がなく、前記スケーラーを動作しない状態にさせることを特徴とする請求項３又は４に記載の表示装置。
【請求項６】
前記レベル信号の電圧を調整し、前記レベル信号で前記スイッチを駆動してオンするようにするための電圧調整器をさらに備えることを特徴とする請求項３乃至５のいずれか１項に記載の表示装置。
【請求項７】
前記バッファーは、
前記スケーラーが現在のフレーム画像に対してスケーラー処理した画素データを記憶する第１のレベルのバッファメモリと、
設定したのフレーム画像の画素データを記憶する第２のレベルのバッファメモリと、を備えることを特徴とする請求項１乃至６のいずれか１項に記載の表示装置。
【請求項８】
前記コンパレータは、前記スケーラーからの現在のフレーム画像の画素データと、前記第１のレベルのバッファメモリに記憶された画素データとが同一であるかを比較し、さらに、前記スケーラーからの現在のフレーム画像の画素データと、前記第２のレベルのバッファメモリに記憶された画素データとが同一であるかを比較することを特徴とする請求項７に記載の表示装置。
【請求項９】
前記第２のレベルのバッファメモリは、所定の時間幅後に、自身に記憶された画素データをクリアすることを特徴とする請求項７又は８に記載の表示装置。
【請求項１０】
前記バッファー及び／又は前記コンパレータは、前記タイミング制御装置に設けられることを特徴とする請求項１乃至９のいずれか１項に記載の表示装置。
【請求項１１】
前記スケーラー及び前記タイミング制御装置は、同一チップに集積され、
前記バッファー及び／又は前記コンパレータは、前記チップに設けられることを特徴とする請求項１乃至９のいずれか１項に記載の表示装置。
【請求項１２】
請求項１乃至１１のいずれか１項に記載の表示装置を用いる表示方法であって、
前記コンパレータにより、前記スケーラーからの現在のフレーム画像の画素データと、前記バッファーに記憶された画素データとが同一であるかを比較するステップと、
前記コンパレータの比較結果が同一である場合、前記スケーラーを動作しない状態にさせ、且つ所定の時間又は所定のフレーム画面数まで持続するステップと、
前記コンパレータの比較結果が異なる場合、前記スケーラーを動作状態にさせ、且つスケーラー処理された現在のフレーム画像の画素データによって、前記バッファーに記憶された画素データを更新するステップと、
前記タイミング制御装置から、前記バッファーに記憶された画素データに対応するフレーム画像を出力して表示を行うステップと、
を有することを特徴とする表示方法。
【請求項１３】
前記コンパレータにより、前記スケーラーからの現在のフレーム画像の画素データと、前記バッファーに記憶された画素データとが同一であるかを比較するステップは、
前記コンパレータにより、現在のフレーム画像の画素データと、第１のレベルのバッファメモリに記憶されたフレーム画像の画素データとが同一であるかを比較して比較結果を出力し、前記比較結果が同一である場合、前記スケーラーを動作しない状態にさせ、所定の時間又は所定のフレーム画面数まで持続し、前記比較結果が異なる場合、前記スケーラーを動作状態にさせるステップを含むことを特徴とする請求項１２に記載の表示方法。
【請求項１４】
前記コンパレータにより、前記現在のフレーム画像の画素データと、第２のレベルのバッファメモリに記憶されたフレーム画像の画素データとが同一であるかを比較して比較結果を出力するステップをさらに有することを特徴とする請求項１３に記載の表示方法。
【請求項１５】
請求項１乃至１１のいずれか１項に記載の表示装置を備える表示システム。
【発明の詳細な説明】
【技術分野】
【０００１】
本発明は、表示方法、表示装置及び表示システムに関する。
【背景技術】
【０００２】
社会経済の発展につれて、コンピュータ、テレビ及び様々な電子製品が広く応用されているが、同時に消費電力増大の問題をもたらすため、目下、省エネルギー製品の開発が電子製品の開発のトレンドとなっている。
【発明の概要】
【発明が解決しようとする課題】
【０００３】
ビデオ出力信号の解像度がディスプレイの表示解像度と一致しない場合もあるため、一般的に、従来の表示装置内にスケーラー（Ｓｃａｌｅｒ）チップを設ける必要がある。スケーラーチップは、ビデオ信号のフレーム画面をスケーラー処理し、信号解像度を表示解像度に完全にマッチングするように処理する。処理後の画像がタイミング制御装置（ＴＣＯＮ）に出力され、そして、ディスプレイスクリーンに表示される。
【課題を解決するための手段】
【０００４】
本発明は、スケーラーが同一フレーム画面の内容を重複してスケーラー処理することを避けることができる、消費電力が高い問題が解決された表示方法、表示装置及表示システムを提供する。
【０００５】
本発明の一態様は、連続する複数のフレーム画像からなるビデオ信号を表示するための表示装置を提供する。該表示装置は、タイミング制御装置、スケーラー、バッファー及びコンパレータを備える。前記スケーラーは、前記ビデオ信号のフレーム画像をスケーラー処理して、表示に用いられる画素データを生成する。前記バッファーは、前記スケーラーがフレーム画像をスケーラー処理した後の画素データを記憶する。前記コンパレータは、前記スケーラーからの現在のフレーム画像の画素データと、前記バッファーに記憶された画素データとが同一であるかを比較し、比較結果を出力する。前記タイミング制御装置は、表示されるフレーム画像の画素データを得て前記画素データを出力して表示を行う。前記コンパレータが出力した比較結果が同一である場合、前記スケーラーは動作しない状態になり、且つ所定の時間又は所定のフレーム画面数まで持続する。前記コンパレータが出力した比較結果が異なる場合、前記スケーラーは、動作状態になり、スケーラー処理された現在のフレーム画像の画素データで前記バッファーに記憶された画素データを更新する。
【０００６】
本発明の別の態様は、上記の表示装置を用いる表示方法を提供する。該方法は、前記コンパレータにより、前記スケーラーからの現在のフレーム画像の画素データと、前記バッファーに記憶された画素データとが同一であるかを比較するステップと、前記コンパレータの比較結果が同一である場合、前記スケーラーを動作しない状態にさせ、且つ所定の時間又は所定のフレーム画面数まで持続させるステップと、前記コンパレータの比較結果が異なる場合、前記スケーラーを動作状態にさせ、スケーラー処理された現在のフレーム画像の画素データで前記バッファーに記憶された画素データを更新し、前記タイミング制御装置によって、前記バッファーに記憶された画素データに対応するフレーム画像を出力して表示を行うステップと、を有する。
【０００７】
本発明のさらに別の態様は、上記の表示装置を備える表示システムを提供する。
【０００８】
以下、本発明の実施形態の技術案をより明確に説明するため、実施形態の図面を簡単に説明する。
【図面の簡単な説明】
【０００９】
【図１】本発明の第１実施形態に係る表示装置の構成を示すブロック図である。
【図２】本発明の第２実施形態に係る表示装置の構成を示すブロック図である。
【図３】本発明の第２実施形態に係る表示装置の構成を示す別のブロック図である。
【図４】本発明の第３実施形態に係る表示装置の構成を示すブロック図である。
【図５】本発明の第４実施形態に係るフレーム画面の表示方法を示すフローチャートである。
【発明を実施するための形態】
【００１０】
以下、本発明の実施形態の目的、技術案及び利点をさらに明確にするために、本発明の実施形態の図面を参照しながら、本発明の実施形態の技術案を明確かつ完全に説明する。下記の実施形態は、当然ながら、本発明の実施形態の一部であり、全ての実施形態ではない。
【００１１】
なお、明細書中で使用される技術用語又は科学技術用語は、特別に定義されていない場合、当業者が理解できる一般的な意味を有する。本願明細書及び特許請求の範囲に記載の「第１」、「第２」及び類似する用語は、順序、数量又は重要性を示すものではなく、異なる構成要素を区別するためのものにすぎない。同様に、「１つ」、「１」又は「該」などの類似する用語は数量を限定するものではなく、少なくとも１つあることを示すものである。「備える」又は「含む」等の用語は、「備える」又は「含む」の前に記載された要素又は部材が、「備える」又は「含む」の後に挙げられる要素又は部材及びそれらと同等のものをカバーすることを指し、他の要素又は部材を排除しない。「接続」又は「つながる」等の類似する用語は、物理的又は機械的な接続に限定されるのではなく、直接的又は間接的な接続、及び電気的な接続も含む。「上」、「下」、「左」、「右」等は、相対的な位置関係を指すだけであり、説明された対象の絶対的な位置が変化した後、そのような相対的な位置関係も対応して変化する可能性がある。
【００１２】
発明者は、従来の表示装置がビデオ画像コンテンツを表示する場合、スケーラーチップがビデオ信号のフレーム画面ごとにスケーラー処理する必要があり、同一の内容を有するフレーム画面であっても同一のスケーラー処理を繰り返すため、消費電力が高くなる問題を実践において発見した。
【００１３】
本発明の実施形態は、バッファーによって、スケーラーのスケーラー処理されたフレーム画像の画素データを記憶し、コンパレータによって、現在のフレーム画像の画素データとバッファーに記憶された画素データとを比較し、両者が同一である場合、スケーラーは動作せず、この時、タイミング制御装置は、バッファーに記憶されたフレーム画像の画素データを直接に出力して対応するフレーム画像を表示する表示装置を提供する。該表示装置は、従来の表示装置に対して消費電力が低くなる。
【００１４】
本発明の第１実施形態は、表示装置を提供する。図１に示すように、該表示装置は、バッファー１０、コンパレータ１１、スケーラー１２及びタイミング制御装置１３を備える。該表示装置は、連続する複数のフレーム画像を有するビデオ信号（信号フロー）を表示するものであり、２つの隣接するフレーム画像同士は、互いに同一であってもよいし、異なってもよい。
【００１５】
スケーラー１２は、ビデオ信号のフレーム画像をスケーラー処理し、表示するために、該フレーム画像の画素データを生成するようにし、コンパレータ１１から出力される比較結果によって動作状態を変えることができ、例えば、動作状態から動作しない状態に変わる。スケーラー処理された画素データの解像度は、例えば、該表示装置に対応するスクリーンの解像度と一致する。バッファー１０は、スケーラー１２がビデオ信号のフレーム画像をスケーラー処理した後の画素データを記憶する。
【００１６】
コンパレータ１１は、スケーラー１２からの現在表示する必要があるフレーム画像（現在のフレーム画像）の画素データと、前記バッファー１０に記憶されたスケーラー処理された画素データとが同一であるかを比較し、比較結果を出力する。コンパレータ１１が出力した比較結果において、両者の画素データが同一である場合、スケーラー１２は動作しない状態になり、即ち、ビデオ信号における後続のフレーム画像をスケーラー処理しないとともに、バッファー１０に記憶された画素データをタイミング制御装置１３に伝送して表示を行う。一方、前記コンパレータ１１が出力した比較結果において、両者の画素データが異なった場合、スケーラー１２は動作状態になり（即ち、動作状態を維持する）、後続のフレーム画像をスケーラー処理し、スケーラー処理された現在のフレーム画像の画素データで前記バッファー１０に元々記憶された画素データを更新するとともに、現在のフレーム画像をタイミング制御装置１３に伝送して表示を行う。
【００１７】
タイミング制御装置１３は、表示しようとするフレーム画像の画素データを連続して得て、前記画素データを出力して表示を行う。例えば、タイミング制御装置１３は、スケーラー１２が動作しない状態にある場合、バッファー１０に記憶された画素データを出力して対応するフレーム画像を表示する。一方、タイミング制御装置１３は、スケーラー１２が動作状態にある場合、スケーラー１２が現在スケーラー処理して得る画素データを出力して対応するフレーム画像を表示する。例えば、タイミング制御装置１３は、スケーラー１２からスケーラー処理された画素データを直接に得るか、又は、バッファー１０から更新された画素データを得る。また、タイミング制御装置１３は、スケーラー１２の状態に問わず、バッファー１０から表示しようとするフレーム画像の画素データを得ることができる場合、該表示装置の設計が簡単化される。タイミング制御装置１３は、例えば、一つのタイミング信号発生器（図示せず）に接続され、それに制御されて所定のタイミング（周波数）に沿って動作する。
【００１８】
該第１実施形態の１つの例示では、スケーラー１２が動作しない状態になる場合、この動作しない状態は、所定時間ｔ又は所定のフレーム画面数ｎだけ持続し、即ち、所定時間ｔ、又は現在表示されるビデオ信号（信号フロー）においてｎ個のフレーム画面を連続する持続時間後、スケーラー１２は自動的に再び動作状態に入る。ただし、ここで、ｔは、絶対的な時間幅を示し、ｎは、ビデオ信号の周波数に依存する相対的な時間幅を示す。
【００１９】
ｔ、ｎの大きさ（数値）の設定について、当業者は、経験又は実際の要求によって予め設定してもよいし、必要に応じて動的に設定してもよい。例えば、表示内容の具体的な状況に応じて、表示中にｔ、ｎの大きさをリアルタイムに調整してもよい。例えば、放送しようとするビデオに躍動感が強い画面である場合、ｔ、ｎの値を、例えば、ｔを１／６０、１／３０又は１／１５ミリ秒等に、ｎを数フレーム、十数フレーム等に小さく設定する。例えば、画面が動きに乏しい場合、ｔ、ｎの値を、例えば、ｔを１／１５ミリ秒に、ｎを数十乃至数百フレーム等に大きくする。また、動的画面である場合、ｔ、ｎを、例えば、ｔを１／６０ミリ秒に、ｎを１フレームに小さく設定する。フレームと時間との関係は、従来技術の周波数を用いてもよく、例えば、１フレームが１６.６７ｍｓ(１／６０秒）又はこれより小さい値に対応する。
【００２０】
本第１実施形態に係る表示装置は、バッファー１０を追加することによって、スケーラー１２にスーケラー処理されたフレーム画像の画素データを記憶し、コンパレータ１１によって、スケーラー１２からの現在のフレーム画像の画素データと、バッファー１０に記憶されたその１つ前のフレーム画面の画素データとが同一であるかを比較する。比較結果において両者が同一である場合、スケーラーは動作しない状態になる。これによって、システムの消費電力が低下され、エネルギーが節約される。
【００２１】
本発明の第２実施形態は、第１実施形態の実施方案をさらに詳しく説明する。図２に示すように、本実施形態に係る表示装置は、スイッチ１４を備える。該実施形態は、コンパレータ１１の結果によって、該スイッチ１４でスケーラー１２の動作状態を制御することができる。例えば、本実施形態では、レベル信号によってスイッチ１４の動作状態を制御し、さらに、スケーラー１２の動作状態を制御することが好ましい。
【００２２】
レベル信号によってスケーラー１２の動作状態を制御する場合、コンパレータ１１が出力する比較結果がレベル信号であると、例えば、コンパレータ１１が出力する比較結果によってスイッチ１４でスケーラー１２の動作状態を直接に制御することができる。図２は、コンパレータ１１が出力する比較結果によってスイッチ１４でスケーラー１２の動作状態を直接に制御する装置の構成概略図である。コンパレータ１１が出力する比較結果がレベル信号ではない場合、本実施形態は、スイッチ１４とコンパレータ１１との間に設けられる信号変換器１５をさらに備えてもよい。図３に示すように、該信号変換器１５は、コンパレータ１１が出力するレベル信号ではない比較結果を、レベル信号に変換する。
【００２３】
本実施形態の例示では、薄膜トランジスタ（ＴＦＴ）によって上記スイッチ１４を実現してもよいが、本発明はこれに限定されない。
【００２４】
本実施形態は、ＴＦＴによってスケーラーの動作状態を制御する表示装置の構造を図２及び図３に示す。本実施形態では、図３に示すように、コンパレータ１１が出力する比較結果がレベル信号ではない場合、ＴＦＴは、信号変換器１５を介してコンパレータ１１に接続される。図２示すように、コンパレータ１１の出力結果がレベル信号である場合、ＴＦＴは、コンパレータ１１に直接に接続してもよい。
【００２５】
本実施形態は、図３に示す例示において、スイッチとしてのＴＦＴ１４のゲート電極１４０は、信号変換器１５に接続され、信号変換器１５がコンパレータ１１から出力する比較結果によって転換するレベル信号ＳＣを受信し、図２に示す例示において、スイッチとしてのＴＦＴ１４のゲート電極１４０は、コンパレータ１１に直接に接続され、コンパレータ１１が出力するレベル信号ＳＣを受信する。レベル信号ＳＣは、コンパレータ１１が出力する比較結果に対応し、ハイレベル信号となったり、ローレベル信号となったりする。
【００２６】
ＴＦＴ１４のドレイン電極１４１は、表示装置の電源２０に接続され、例えば、前記スケーラー１２の動作電圧と同一の第１の電圧Ｐｉを受信する。Ｐｉの大きさは、スケーラー１２の動作電圧に対応し、一般的に、３.３Ｖ又は２.５Ｖであり、１.８Ｖであってもよい。前記電源２０は、スケーラー１２に動作電圧を提供し、直流電源、電池等であってもよい。
【００２７】
ＴＦＴ１４のソース電極１４２は、スケーラー１２に接続される。該ＴＦＴがＮ型ＴＦＴであると、レベル信号ＳＣがハイレベルである場合、 ＴＦＴ１４がオン状態にあり、ソース電極１４２とドレイン電極１４１が電気的に接続されて導通され、ソース電極１４２から出力する電圧が電源２０から入力する第１の電圧Ｐｉである。該第１の電圧Ｐｉがスケーラー１２に入力されると、スケーラー１２が動作状態になり、受信した現在のフレーム画像をスケーラー処理する。相応的に、タイミング制御装置１３は、スケーラー１２によってスケーラー処理された現在のフレーム画像の画素データを得て現在のフレーム画像を表示する。レベル信号ＳＣがローレベルである場合、ＴＦＴ１４がカットオフ状態にあり、ソース電極１４２とドレイン電極１４１が電気的に遮断されて導通できなくなり、このとき、スケーラー１２に出力する電圧がなく、スケーラー１２がオフされ、動作しない状態になる。相応的に、タイミング制御装置１３は、バッファー１０に記憶された画素データを得て対応するフレーム画像を表示する。
【００２８】
一方、本発明の実施形態は、Ｐ型ＴＦＴを用いてもよい。前記レベル信号ＳＣがローレベルである場合、ＴＦＴ１４がオン状態にあり、ソース電極１４２とドレイン電極１４１が電気的に接続されて導通され、第１の電圧Ｐｉをスケーラー１２に出力し、スケーラー１２を動作状態にさせる。一方、レベル信号ＳＣがハイレベルである場合、ＴＦＴ１４がカットオフ状態にあり、ソース電極１４２とドレイン電極１４１が電気的に接続されて導通され、スケーラー１２に出力する電圧がなく、スケーラー１２が動作しない状態にある。
【００２９】
また、別の例示において、コンパレータ１１が出力する信号の電圧、又は信号変換器１５が変換したレベル信号の電圧が高すぎ又は低すぎて、ＴＦＴ１４を適切に駆動してオンさせる電圧にならない場合、レベル信号の電圧を調整してＴＦＴ１４をオンできるように、ＴＦＴ１４と信号変換器１５との間に電圧調整器１６を設けるか、又は、コンパレータとＴＦＴ１４との間に直接に電圧調整器１６を接続することが好ましい。これについて、図２及び図３における点線部分を参照する。
【００３０】
本実施形態の例示では、ＴＦＴによってスイッチ機能を実現することができ、表示装置においてスケーラーに用いる電源及びコンパレータから出力するレベル信号によって、スケーラーの動作状態を制御することができる。該実施形態は、簡単に実現することができ、消費電力を低下させる。
【００３１】
本発明の第３実施形態は、第１実施形態及び第２実施形態の実施方案をさらに最適化した方案である。例えば、図５に示すように、バッファー１０は、第１のレベルのバッファメモリ及び第２のレベルのバッファメモリを備える。第１のレベルのバッファメモリは、スケーラー１２が動作状態にある場合、スケーラー１２が現在のフレーム画像をスケーラー処理した画素データを記憶し、例えば、隣接するフレーム画像の異なる動的ビデオの画素データを記憶する。第２のレベルのバッファメモリは、所定フレーム画面の画素データ、例えば、ある時間幅内に現れ頻度が高い画素データを記憶するか、又は、連続する数フレームがいずれも同一である画素データを記憶する。例えば、設定時間の閾値又はフレーム数の閾値に対して、スケーラー１２がいずれも動作しない状態にあるか、又は、第１のレベルのバッファメモリに記憶された画素データに変更がない場合、第１のレベルのバッファメモリが記憶したフレーム画像の画素データを、第２のレベルのバッファメモリに移行して記憶する。或いは、ユーザは、該所定画素データに対応する画面画像の表示時間及び表示頻度によって、フレーム数の閾値を設定することができる。本発明の別の実施形態は、フレーム画面の表示頻度によって、バッファー１０に複数のレベルのバッファメモリを設けて、表示頻度が異なるフレーム画像に対応する画素データを記憶することもできる。
【００３２】
例えば、バッファー１０は、第１のレベルのバッファメモリ及び第２のレベルのバッファメモリを有する場合、フレーム画像が到達するとき、コンパレータ１１は、先にスケーラー１２からの現在のフレーム画像の画素データと、第１のレベルのバッファメモリに記憶された画素データとを比較してもよい。第１のレベルのバッファメモリと比較した比較結果が同一である場合、タイミング制御装置１３は、第１のレベルのバッファメモリに記憶された画素データに対応するフレーム画像を直接に出力するとともに、コンパレータ１１は、現在の画素データと、第２のレベルのバッファメモリに記憶された画素データとを再度比較し、第２のレベルのバッファメモリと比較した比較結果も同一であるとき、ｔ又はｎを適当に、例えば、２５％大きくしてもよい。第１のレベルのバッファメモリと比較した比較結果が異なったとき、現在のフレーム画像の画素データで第１のレベルのバッファメモリを更新し、先に記載した第１及び第２実施形態に対する説明と同様に、タイミング制御装置１３は、スケーラー１２又はバッファー１０から現在のフレーム画像の画像データを得て対応するフレーム画像を表示し、さらに、コンパレータは、現在の画素データと、第２のレベルのバッファメモリに記憶された画素データとを再度比較し、第２のレベルのバッファメモリと比較した比較結果も異なったとき、例えば、ｔ又はｎを適当に、例えば、２５％低下してもよいが、ｔ又はｎをある閾値より小さくないようにする。これによって、システムの消費電力がさらに低下する。例えば、第１のレベルのバッファメモリに記憶された画素データに変更がない（更新しない）時間が、所定時間Ｔ１又は所定のフレーム画面数Ｎ１より長い場合、該第１のレベルのバッファメモリに記憶された画素データによって、第２のレベルのバッファメモリに記憶された画素データを更新する。該所定時間Ｔ１又は所定のフレーム画面数Ｎ１は、スケーラーの動作しない状態が持続する所定時間ｔ、又は所定フレーム画面数ｎに基づいて設定されてもよい。例えば、所定時間Ｔは、例えば、２ｔ又は３ｔであり、該所定のフレーム画面数Ｎは、例えば、２ｎ又は３ｎである。
【００３３】
例えば、一実施形態では、ユーザは、実際の状況に応じて、第２のレベルのバッファメモリにバッファーされた画素データをクリアし、例えば、第２のレベルのバッファメモリの記憶内容を空にするか、又は、第１のレベルの及び第２のレベルのバッファメモリに記憶された画素データのいずれとも異なる画素データに取替える。これによって、ある時間幅内にコンパレータ１１が用いられ且つ比較しなかった画素データ、即ち、ある時間幅内の表示頻度が低い画素データがクリアされる。第２のレベルのバッファメモリが空きである場合、上記の例示の通り、第２のレベルのバッファメモリとの比較を行わなくてもよい。
【００３４】
本第３実施形態では、上記のバッファー１０にマルチレベルのバッファメモリを設ける技術案によれば、スケーラーの表示頻度がさらに低下し、システムの消費電力が低下して、エネルギーが節約される。第１及び第２のレベルのバッファメモリを備える第３実施形態を例として説明したが、本発明はこれに限定されず、必要によって、レベルがさらに多いバッファメモリを設置してもよい。
【００３５】
本発明の実施形態、例えば、上記の第１乃至第３実施形態に係る表示装置では、バッファー１０及びコンパレータ１１は、相対的に自由に設けられてもよい。例えば、それらの中の１つを、タイミング制御装置１３内（即ち、タイミング制御装置１３と一体に形成される）に設けてもよいし、表示装置に直接に設けてもよい。或いは、例えば、スケーラー１２及びタイミング制御装置１３を同一チップに集積し、バッファー１０及び／又はスイッチ１４を、集積したチップに設けてもよく、チップ外に設けてもよい。なお、信号変換器１５及び電圧調整器１６を備える例示は、バッファー１０及び／又はスイッチ１４の位置によって自由に設けてられてもよい。
【００３６】
また、上記のバッファー１０、スケーラー１２、コンパレータ１１、タイミング制御装置１３及び信号変換器１５等の装置は、ハードウェア、ソフトウェア、ファームウエア等の方式によって実現できるとともに、本分野での任意の適切な構成も用いられる。例えば、バッファー１０は、揮発性メモリや不揮発性メモリ等であってもよい。スケーラー１２及びタイミング制御蔵置１３は従来の表示装置中のものと同一であってもよいし、また、コンパレータ１１の比較結果が数値タイプである場合、信号変換器１５は、例えばデジタル・アナログ変換器であってもよいし、電圧調整器１６は、変圧器又は分圧抵抗などであってもよい。
【００３７】
本発明の第４実施形態は、本発明の実施形態（例えば、上記の第１乃至第３実施形態）に係る表示装置に用いる表示方法を提供する。図４はその実現プロセスを示す。
【００３８】
ステップＳ３０１：スケーラーから現在のフレーム画像の画素データを得る。
ステップＳ３０２：コンパレータによって、現在のフレーム画像の画素データと、バッファーに記憶された画素データとが同一であるかを比較し、同一である場合にはステップＳ３０３に入り、異なった場合にはステップＳ３０４に入る。
ステップＳ３０３：スケーラが動作しない状態になり、タイミング制御装置は、バッファーに記憶された画素データを得て、それに対応するフレーム画像を表示する。
ステップＳ３０４：スケーラーが動作状態になり、タイミング制御装置は、現在のフレーム画像の画素データを得て、現在のフレーム画像を表示し、現在のフレーム画像の画素データによって、バッファーに記憶された画素データを更新する。
【００３９】
例えば、バッファー１０に第１のレベルのバッファメモリ及び第２のレベルのバッファメモリが設置された場合、コンパレータ１１は、現在のフレーム画像の画素データに対してマルチレベルの比較することができる。現在フレーム画像の画素データがスケーラーから到達する場合、コンパレータ１１及びタイミング制御装置１３の動作は先に記載した通りであり、ここでは再度説明しない。
【００４０】
例えば、上記の表示装置が画面を表示する過程において、レベル信号によってスイッチ１４の動作状態を制御し、さらに、スケーラー１２の動作状態を制御することができる。
【００４１】
例えば、表示装置は、スイッチ１４を備えてもよい。図２又は図３に示すように、該スイッチ１４は、Ｎ型ＴＦＴ又はＰ型ＴＦＴであってもよく、表示装置の電源２０に接続され、表示装置における、例えば、スケーラーに用いられる電源２０及びコンパレータ１１が出力するレベル信号によって、スケーラー１２の動作状態を制御する。これは、実現プロセスが簡単化され、消費電力がさらに低下する。
【００４２】
本発明の実施形態に係る上記のフレーム画面の表示方法は、現在のフレーム画像がバッファーに記憶されたフレーム画像と同一であるかに基づき、スケーラーの動作状態を制御することができ、両者が同一である場合、スケーラーを動作しない状態にさせ、スケーラーが同一の内容を有するフレーム画像を重複して同一のスケーラー処理することが回避され、消費電力が低下し、エネルギーが節約される。
【００４３】
上記の表示装置又は上記のフレーム画面表示方法を用いる表示装置は、液晶パネル、電子ペーパー、ＯＬＥＤパネル、液晶テレビ、液晶ディスプレイ、デジタルフォトフレーム、携帯電話、フラットパネルコンピュータ等表示機能を有する任意の製品又は部材であってもよい。
【００４４】
本発明の第５実施形態は、さらに表示システムを提供する。該表示システムは、例えば、第１乃至第３実施形態のいずれか１つに係る表示装置を備え、第４実施形態に係る表示方法によってフレーム画像を表示する。該システムに備えられる表示装置の構成及びフレーム画像の表示方法は、上記の実施形態に係る装置及び方法と同一である。具体的な構成及び実現方法は、ここで再度説明しない。前記表示システムは、上記の表示装置を連結して又は組み合わせることで形成されてもよい。
【００４５】
本発明の精神及び範囲から逸脱することなく、当業者は、本発明を修正及び変形することができる。
【符号の説明】
【００４６】
１０  バッファー
１１  コンパレータ
１２  スケーラー
１３  タイミング制御装置
１４  スイッチ（薄膜トランジスタ）
１４０  ゲート電極
１４１  ドレイン電極
１４２  ソース電極
１５  信号変換器
１６  電圧調整器
２０  電源
【図１】
2014032406.tif 000003
【図２】
2014032406.tif 000004
【図３】
2014032406.tif 000005
【図４】
2014032406.tif 000006
【図５】
2014032406.tif 000007